(57)【要約】【課題】本発明は、無線伝送方式による無線ネットワークに於ける機器間接続後の情報交換を円滑に効率よく実行できる使い勝手のよい無線通信を実行可能な電子機器および同機器に適用されるプログラムを提供することを課題とする。【解決手段】画像取得部３１はユーザが選択した機器との間で接続が成功すると、機器登録部３４に登録した接続パラメータを用いて、接続した機器に対し、所定の周期で画像取得要求を繰り返し実行する。【選択図】    図２
2005151258.tif 000002
【特許請求の範囲】
【請求項１】
無線通信によるデータ伝送が可能な周辺の機器に局発見要求を行う通信手段と、
前記局発見要求に応答した機器各々をユーザに選択可能に提示し、選択された機器に対して接続パラメータを登録可能に提示する表示手段と、
前記接続パラメータを登録した機器に対して接続処理を実行し、接続した機器から所定の周期で所定の情報を取得する処理手段と
を具備したことを特徴とする無線通信を実行可能な電子機器。
【請求項２】
前記処理手段は、接続した機器から所定の周期で所定の情報を取得する処理として、接続した機器に対し所定の周期で画像取得を要求し、取得した画像を表示する手段を具備したことを特徴とする請求項１記載の電子機器。
【請求項３】
前記処理手段は、前記接続した機器から所定の周期で情報を取得している状態からサスペンド状態に遷移する過程で、前記接続した機器との切断処理を実行し、当該切断した機器の接続パラメータを記憶するサスペンド処理手段と、前記サスペンド状態からレジューム状態に遷移したとき、前記サスペンド処理手段で記憶した接続パラメータを用いて前記切断処理を実行した機器に対して再度接続処理を実行するレジューム処理手段と
を具備したことを特徴とする請求項１記載の電子機器。
【請求項４】
前記処理手段は、前記接続パラメータを登録した機器に対して接続が成功した際、当該接続した機器の接続パラメータの登録を解除し、当該接続パラメータの登録を解除した機器に対して接続を切断した後は、当該機器に対して定期的に接続処理を実行しないことを特徴とする請求項１記載の電子機器。
【請求項５】
前記処理手段は、前記接続パラメータを登録した機器に接続後、当該機器との接続を切断するにあたって前記接続パラメータを再度登録するか否かをユーザに選択させるユーザインタフェースを具備し、前記ユーザインタフェースで接続パラメータを再度登録しない選択が行われた際は当該接続パラメータの登録を解除して、当該接続パラメータの登録を解除した機器に対して接続を一旦切断した後は、当該機器に対して定期的な接続処理を継続しないことを特徴とする請求項１記載の電子機器。
【請求項６】
前記処理手段は、前記接続パラメータを登録した機器に対して、定期的に接続処理を実行し、接続の都度、接続した機器から所定の周期で所定の情報を取得する手段を具備したことを特徴とする請求項１記載の電子機器。
【請求項７】
コンピュータに、
無線通信によるデータ伝送が可能な周辺の機器に局発見要求を行う局発見機能と、
前記局発見要求に応答した機器各々をユーザに選択可能に提示し、選択された機器に対して接続パラメータを登録可能にするユーザインタフェース機能と、
前記接続パラメータを登録した機器に対して接続処理を実行し、接続した機器から所定の周期で所定の情報を取得する処理機能と
を実現させるためのプログラム。
【請求項８】
前記処理機能は、接続した機器から所定の周期で所定の情報を取得する処理として、接続した機器に対し所定の周期で画像取得を要求し、取得した画像を表示する機能を有する請求項７記載のプログラム。
【請求項９】
前記処理機能は、前記接続した機器から所定の周期で情報を取得している状態からサスペンド状態に遷移する過程で、前記接続した機器との切断処理を実行し、当該切断機器の接続パラメータを記憶するサスペンド処理機能と、前記サスペンド状態からレジューム状態に遷移したとき、前記サスペンド処理手段で記憶した接続パラメータを用いて前記切断処理を実行した機器に対して再度接続処理を実行するレジューム処理機能とを有する請求項７記載のプログラム。
【請求項１０】
前記処理機能は、前記接続パラメータを登録した機器に対して接続が成功した際、当該接続した機器の接続パラメータの登録を解除し、当該接続パラメータの登録を解除した機器に対して接続を切断した後は、当該機器に対して定期的に接続処理を実行しない機能を有する請求項７記載のプログラム。
【請求項１１】
前記処理機能は、前記接続パラメータを登録した機器に接続後、当該機器との接続を切断する際に前記接続パラメータを再度登録するか否かをユーザに問い合わせるユーザインタフェース機能と、前記問い合わせで接続パラメータを再度登録しない応答を受けた際に当該接続パラメータの登録を解除して、当該接続パラメータの登録を解除した機器に対して接続を一旦切断した後は、当該機器に対しての定期的な接続処理を継続しない機能とを有する請求項７記載のプログラム。
【発明の詳細な説明】
【技術分野】
【０００１】
本発明は、無線通信を実行可能な電子機器および同機器に適用されるプログラムに係り、特に無線通信可能な機器を発見するための局発見機能を持つ電子機器およびその機器に適用されるプログラムに関する。
【背景技術】
【０００２】
近年、電子機器間を無線で接続するための新たな無線通信システムが開発されている。この種の無線通信システムとしては、コンピュータに限らず様々な電子機器同士の接続をターゲットとして策定された近距離無線通信方式の規格であるＢｌｕｅｔｏｏｔｈＴＭが知られている。
【０００３】
ＢｌｕｅｔｏｏｔｈＴＭに於いては、局発見機能が定義されている。この局発見機能は、無線通信可能な新たな装置を発見するための機能である。この局発見機能を利用することにより、ある電子機器の無線通信可能エリア内に存在する他の電子機器を発見することができる。
【０００４】
局発見機能は、ある電子機器が局発見要求（問い合わせ）を無線信号によって送信し、その局発見要求を受けた他の電子機器がその局発見要求に応答するという仕組みよって実現されている。この際の局発見機能は、局発見要求（Inquiry）を行って当該要求に応答した機器のアドレスを取得する処理と、機器名称の取得要求（Name discovery）を行って上記応答した機器の名称（Device Names）を取得する処理とで実現される。
【０００５】
デジタルカメラやカメラ付携帯電話の急速な普及に伴い、携帯機器間で画像を交換する機会が増えている。低消費電力を特徴とするＢｌｕｅｔｏｏｔｈＴＭは、これら携帯機器で手軽に画像交換をするための有効な通信手段の一つである。ＢｌｕｅｔｏｏｔｈＴＭで画像を送受信する方法は、Basic Imaging Profile（ＢＩＰ）として規格化され、カメラを遠隔制御する方法はその中でRemote Camera Feature（ＲＣＦ）として規定されている。ＲＣＦでは、画像の取得要求を行う機器をＩｎｉｔｉａｔｏｒ、デジタルカメラのように画像をキャプチャーする能力を備えた機器をＲｅｓｐｏｎｄｅｒと定義し、以下の機能を備える。  
モニタリング画像取得機能：Get Monitoring Image(0)  
シャッター制御機能：Get Monitoring Image(1)  
撮影画像の取得機能：Get Image  
Ｉｎｉｔｉａｔｏｒは、Ｒｅｓｐｏｎｄｅｒが捕らえているモニタリング画像をサムネイルサイズの静止画像として随時取得（Get MonitoringImage(0)）し、任意のタイミングでシャッター制御信号を送信（Get MonitoringImage(1)）し、撮影された画像を希望するサイズで取得（Get Image)することが可能である。
【０００６】
上記したようなＢｌｕｅｔｏｏｔｈＴＭを利用した無線伝送方式による無線ネットワークに於いて、機器間接続後の処理は規定されておらず、例えば上記ＲＣＦのＩｎｉｔｉａｔｏｒ機能を利用した画像取得処理等に於いて、その都度ユーザ操作を伴って画像情報を取得しており、操作性並びに転送効率の問題があった。
【特許文献１】特開２００２−３２５０８１
【発明の開示】
【発明が解決しようとする課題】
【０００７】
上述したように、無線伝送方式による無線ネットワークに於いて、接続後の情報交換に於いて操作性並びに転送効率の問題があった。
【０００８】
本発明は、無線伝送方式による無線ネットワークに於ける機器間接続後の情報交換を円滑に効率よく実行できる使い勝手のよい無線通信を実行可能な電子機器および同機器に適用されるプログラムを提供することを目的とする。
【課題を解決するための手段】
【０００９】
本発明は、無線通信によるデータ伝送が可能な周辺の機器に局発見要求を行う通信手段と、前記局発見要求に応答した機器各々をユーザに選択可能に提示し、選択された機器に対して接続パラメータを登録可能にするユーザインタフェースと、前記接続パラメータを登録した機器に対して定期的に接続処理を実行し、接続した機器との間で所定の周期で所定の情報を転送する処理手段とを具備した無線通信を実行可能な電子機器を特徴とする。
【００１０】
さらに本発明は、コンピュータに、無線通信によるデータ伝送が可能な周辺の機器に局発見要求を行う局発見機能と、前記局発見要求に応答した機器各々をユーザに選択可能に提示し、選択された機器に対して接続パラメータを登録可能にするユーザインタフェース機能と、前記接続パラメータを登録した機器に対して定期的に接続処理を実行し、接続した機器との間で所定の周期で所定の情報を転送する処理機能とを実現させるためのプログラムを特徴とする。
【発明の効果】
【００１１】
機器間接続後の情報交換を円滑に効率よく実行でき、使い勝手を向上できる。
【発明を実施するための最良の形態】
【００１２】
以下、図面を参照して本発明の実施形態を説明する。  
先ず図１乃至図６を参照して本発明の第１実施形態を説明する。この第１実施形態では、ユーザが機器を登録した際に、その登録した機器の接続パラメータを用いて接続処理を実行し、接続が成功すると、接続した機器から所定の周期で画像情報を繰り返し取得する。
【００１３】
図１には本発明の一実施形態に係る電子機器の構成の一例が示されている。本発明に係る電子機器は無線通信機能を有する、例えばＰＤＡ（Personal Digital Assistant）、ノートブックタイプのポータブルパーソナルコンピュータ等により実現される。図１はポータブルパーソナルコンピュータにより実現した例を示している。
【００１４】
図１は本コンピュータ１のディスプレイユニットを開いた状態における外観斜視図である。本コンピュータ１は、コンピュータ本体１１と、ディスプレイユニット１２とから構成されている。ディスプレイユニット１２は、コンピュータ本体１１に対して開放位置と閉塞位置との間を回動自在に取り付けられている。ディスプレイユニット１２には表示パネルを構成するＬＣＤ（Liquid Crystal Display）１３が組み込まれており、そのＬＣＤ１３はディスプレイユニット１２のほぼ中央に位置されている。
【００１５】
ＬＣＤ１３の表示画面上には、局発見機能で見つけた機器の一覧画面（以下リモートデバイス一覧画面と称す）３０１が表示される。このリモートデバイス一覧画面３０１は、現在のコンピュータ１の利用場所に於いて周辺に存在する無線通信可能な機器をユーザに選択可能に提示するＧＵＩ（Graphical User Interface）であり、ユーザに通信（接続）相手を選択させるために用いられる。このリモートデバイス一覧画面３０１上で、例えばポインティングデバイス１４を操作して、接続したい機器を選択することができる。さらに、このリモートデバイス一覧画面３０１上で、同じくポインティングデバイス１４を操作して、選択した機器に接続するためのパラメータ（接続パラメータ）を登録することができる。このリモートデバイス一覧画面３０１の具体的に構成例については図５を参照して後述する。
【００１６】
コンピュータ本体１１は薄い箱形の筐体を有しており、その上面には上述したポインティングデバイス１４の他に、キーボード１５が配置されている。さらに、コンピュータ本体１１には無線通信デバイス１０１が内蔵されている。
【００１７】
この無線通信デバイス１０１は無線通信を実行するデバイスであり、例えばＢｌｕｅｔｏｏｔｈＴＭなどの近距離無線通信の規格で規定された無線通信を実行するように設計されている。無線通信デバイス１０１の無線通信動作は、コンピュータ１内で実行されるプログラムである無線通信制御ユーティリティプログラム（図２の符号２０１参照）によって制御される。
【００１８】
この無線通信制御ユーティリティプログラムは、局発見機能、ＬＣＤ１３の表示画面上にリモートデバイス一覧画面３０１を表示する機能、リモートデバイス一覧画面３０１上の選択操作に伴う機器の選択機能、選択された機器に接続するための接続パラメータの取得、登録機能、および接続パラメータが登録された機器に対する接続要求並びにその要求に伴う接続（自動接続）処理機能等を有する。
【００１９】
図２には、本コンピュータ１のシステム構成が示されている。本コンピュータ１には、図示のように、ＣＰＵ２１、ノースブリッジ２２、主メモリ２３、表示コントローラ２４、サウスブリッジ２５、ハードディスクドライブ（ＨＤＤ）２６、および無線通信デバイス１０１などが内蔵されている。
【００２０】
ＣＰＵ２１は本コンピュータ１の動作を制御するために設けられたプロセッサであり、ハードディスクドライブ（ＨＤＤ）２６から主メモリ２３にロードされたオペレーティングシステム（ＯＳ）および各種アプリケーションプログラムを実行する。この実施形態では、無線通信制御ユーティリティプログラム２０１に加えて、画像取得処理プログラム２０２がハードディスクドライブ（ＨＤＤ）２６から主メモリ２３にロードされ、ＣＰＵ２１によって実行される。画像取得処理プログラム２０２は、無線通信制御ユーティリティプログラム２０１に従う処理で自動接続された機器に対して、ユーザの操作指示を介在することなく、所定の周期で画像情報を取得する一連の処理を実行する。この画像取得処理プログラム２０２の具体的な処理機能については後述する。
【００２１】
ハードディスクドライブ（ＨＤＤ）２６には、この実施形態の処理に係る情報として、上述した無線通信制御ユーティリティプログラム２０１、画像取得処理プログラム２０２等が格納されている。このハードディスクドライブ２６に格納された無線通信制御ユーティリティプログラム２０１、および画像取得処理プログラム２０２は主メモリ２３にロードされ、ＣＰＵ２１により実行される。この際、画像取得処理プログラム２０２は、無線通信制御ユーティリティプログラム２０１の接続処理で機器接続が成功した際に起動される。この際の処理の詳細は後述する。
【００２２】
表示コントローラ２４は本コンピュータのディスプレイモニタとして使用されるＬＣＤ１３を制御する。この実施形態に於いては、上記ＬＣＤ１３に、図５および図１１に示すようなユーザインタフェース画面を表示する。これらユーザインタフェース画面の詳細は後述する。
【００２３】
ノースブリッジ２２はＣＰＵ２１のローカルバスとＰＣＩバスとの間を双方向で接続するブリッジデバイスである。サウスブリッジ２５はＰＣＩバスとＩＳＡバスとの間を双方向で接続するブリッジデバイスである。ＩＳＡバスには、上述のキーボード（ＫＢ）１５などが接続されている。サウスブリッジ２５には、ＵＳＢ（Universal Serial Bus）コントローラも内蔵されている。このＵＳＢコントローラには、無線通信デバイス１０１が接続される。
【００２４】
無線通信デバイス１０１は、無線通信制御ユーティリティプログラム２０１の制御の下に、接続相手となる周辺に存在する機器の発見、接続、データ転送等を無線通信により行う。無線通信デバイス１０１はＵＳＢコントローラを介してＣＰＵ２１から入力されるコマンドに応じて、無線信号の送受信をアンテナ（ＡＮＴ）を介して実行する。無線通信デバイス１０１は、ＲＦ部とベースバンド部とを含む。ＲＦ部は、中間周波数からＲＦ周波数へのアップコンバート、およびＲＦ周波数から中間周波数へのダウンコンバートなどを行う。ベースバンド部は所定の無線通信プロトコルに従って、送信データの変調、および受信データの復調を行う。
【００２５】
図３には、上記図１および図２に示す機能要素により実現される画像取得装置３０の構成例を示している。この画像取得装置３０は、画像取得部３１、画像表示部３２、周囲機器検索部３３、機器登録部３４、通信制御部３５等を有して構成される。上記画像取得部３１、画像表示部３２、周囲機器検索部３３、および機器登録部３４は、それぞれ上記図２示す画像取得処理プログラム２０２の処理ルーチンにより実現される。通信制御部３５は、同じく図２に示す無線通信制御ユーティリティプログラム２０１により実現される。
【００２６】
周囲機器検索部３３は、ユーザからの指示により、通信制御部３５を利用して、コンピュータ１の周辺に存在する機器、およびそれらの機器が有するサービスを検索し、発見した機器のサービスに接続するためのパラメータ情報（接続パラメータ）を取得し保持する。
【００２７】
この際の周辺機器検索処理の手順を図４にフローチャートで示している。また、この処理に於いてディスプレイユニット１２の表示画面（ＬＣＤ１３）に表示されるリモートデバイス一覧画面３０１の構成を図５に示している。
【００２８】
周囲機器検索部３３は、図５に示すリモートデバイス一覧画面３０１の機器検索指示ボタン（機器サーチボタン）３０２が操作されると、予め定義されている局発見機能により周辺に存在する機器の検索処理を開始する（図４ステップＳ１１）。この検索で、周辺の無線通信可能エリア内に存在する機器を発見すると、発見した機器の接続パラメータを取得し保持して（図４ステップＳ１２）、発見した機器のデバイス名をディスプレイユニット１２の表示画面（ＬＣＤ１３）に一覧表示する（図４ステップＳ１３）。この実施形態では、上記発見した機器を図５に示すリモートデバイス一覧画面３０１の機器選択操作エリア３０３に選択可能に表示する。この際の周辺機器およびサービスを検索する方法については、ＢｌｕｅｔｏｏｔｈＴＭ規定のプロトコルに従うものとする。
【００２９】
上記リモートデバイス一覧画面３０１の機器選択操作エリア３０３上で、当該エリアに表示された機器から、ユーザが接続したい機器を選択すると、機器選択操作エリア３０３上の選択した機器に対応して、接続／登録選択メニュー３０４が表示される。
【００３０】
この接続／登録選択メニュー３０４上で、「登録」が選択されると、機器登録部３４は登録処理として、上記選択された機器の情報（デバイスアドレス）を記憶し、登録した機器と接続するように、画像取得部３１に接続処理を要求する。画像取得部３１は機器登録部３１から登録された機器との接続要求として、登録機器の情報（デバイスアドレス）が入力されると、登録機器と接続するために必要となる詳細な接続パラメータを周囲機器検索部３３から取得し、接続処理を行う。画像取得部３１は接続処理が成功すると、接続した機器に対して画像取得要求を所定の周期で繰り返し実行する。
【００３１】
この際の登録処理、登録した機器への接続処理、および画像取得処理の手順を図６にフローチャートで示している。
【００３２】
上記リモートデバイス一覧画面３０１の接続／登録選択メニュー３０４上で、「登録」が選択されると（図６ステップＳ２１  Ｙｅｓ）、機器登録部３４は、ユーザが選択した機器の情報（例えばデバイスアドレス）を記憶する（図６ステップＳ２２）。さらに機器登録部３４は、上記選択した機器と接続するように画像取得部３１に要求し、画像取得部３１は機器登録部３４からの接続要求で指定された機器と接続するために必要となる詳細な接続パラメータを周囲機器検索部３３より取得し、取得した接続パラメータを用いて指定された機器への接続処理を実行する（図６ステップＳ２３）。この際、画像取得部３１は、上記接続パラメータを通信制御部３５に渡して、ユーザが選択した機器との接続処理を通信制御部３５を介して実行する。この接続処理で、ユーザが選択した機器に対して接続が成功しないとき（図６ステップＳ２４  Ｎｏ）は、所定のタイムラグを介在して（図６ステップＳ２５）、再度、接続処理を実行する。この接続処理で、ユーザが選択した機器に対して接続が成功しないとき（図６ステップＳ２４  Ｎｏ）は、所定のタイムラグを介在して（図６ステップＳ２５）、再度、接続処理を実行する。尚、接続処理を所定回数繰り返しても接続が成功しないとき、実際にはその旨をユーザに報知して、ユーザが選択した機器との接続処理を中止する等の処理が介在するが、ここではその処理について特に言及しない。
【００３３】
また、ユーザが選択した機器との間で接続が成功すると（図６ステップＳ２４  Ｙｅｓ）、画像取得部３１は、機器間の接続処理を終了し、接続した機器に対し、所定の周期で画像取得要求を繰り返し実行する画像取得処理を開始する（図６ステップＳ２６）。
【００３４】
尚、上記した実施形態の処理では、画像取得部３１が通信制御部３５を利用して画像取得先の機器に接続する際、接続するためのパラメータを周囲機器検索部３３より取得しているが、その接続パラメータの取得に際し、周囲機器検索部３３がその都度、その機器のサービスを検索し、再度接続パラメータを取得することで、常に最新の接続パラメータを用いて接続要求を行うことができる。
【００３５】
次に、図７乃至図９を参照して本発明の第２実施形態を説明する。尚、この第２実施形態に於いて、上述した第１実施形態と同一部分に同一符号を付してその説明を省略する。
【００３６】
図７に、本発明の第２実施形態に於ける画像取得装置３０Ｂの構成例を示す。この第２実施形態に於ける画像取得装置３０Ｂは、上述した図３に示す第１実施形態に於ける画像取得装置３０の構成要素に加えて、サスペンド処理部３７と、レジューム処理部３８が設けられる。
【００３７】
上記サスペンド処理部３７の処理手順を図８に示し、レジューム処理部３８の処理手順を図９に示している。
【００３８】
画像取得装置３０Ｂが画像取得対象にある機器と接続した状態、すなわち、画像取得部３１の処理により、画像を繰り返し取得し、画像表示部３２が表示処理を行っている最中に、自機器がサスペンド状態（ハイバネーション、休止状態）に遷移する際、サスペンド処理部３７は図８に示す処理を実行する。
【００３９】
サスペンド処理部３７は、上記画像取得処理を実行している際に、自機器がサスペンド状態になることを検知すると（図８ステップＳ３１，Ｓ３２）、現在接続している機器の情報（デバイスアドレス）を取得し記憶する（図８ステップＳ３３）とともに、画像取得部３１に、画像取得処理の中止並びに接続機器の切断を指示し（図６ステップＳ３４）、画像取得装置３０Ｂがサスペンド状態へ遷移することを許可する（図６ステップＳ３５）。その後、サスペンド処理部３７を含めて画像取得装置３０Ｂがサスペンド状態へ遷移する。
【００４０】
上記サスペンド処理の後、レジュームにより画像取得装置３０Ｂが復帰した際、レジューム処理部３８は、そのレジュームのイベントを検知して（図９ステップＳ４１）、サスペンド処理部３７が記憶している、サスペンド時に接続していた機器の情報を確認し（図９ステップＳ４２  Ｙｅｓ）、その機器との再接続を画像取得部３１に要求する。画像取得部３１はレジューム処理部３８から接続要求を受け付けると、その機器に接続するためのパラメータを周囲機器検索部３３より取得し、通信制御部３５を利用して機器に接続する（図９ステップＳ４３）。ここで、接続が成功すると（図９ステップＳ４４  Ｙｅｓ）、画像取得部３１は画像取得要求を繰り返し実行し（図９ステップＳ４６）、取得した画像を画像表示部３２に渡して当該画像をディスプレイユニット１２の表示画面（ＬＣＤ１３）に表示する。尚、画像取得部３１は、複数回の接続要求を実行した結果（図９ステップＳ４３〜Ｓ４５）、接続に失敗すると、その旨をレジューム処理部３８に通知する。レジューム処理部３８は画像取得部３１から接続の失敗を通知されると、その後、定期的に画像取得部３１に対し、サスペンド時に接続していた機器への接続を要求する。
【００４１】
尚、上記した実施形態の処理では、画像取得部３１が通信制御部３５を利用して画像取得先の機器に接続する際、接続するためのパラメータを周囲機器検索部３３より取得しているが、その接続パラメータの取得に際し、周囲機器検索部３３がその都度、その機器のサービスを検索し、再度接続パラメータを取得することで、常に最新の接続パラメータを用いて接続要求を行うことができる。
【００４２】
次に図１０および図１１を参照して本発明の第３実施形態を説明する。尚、この第３実施形態に於いて、上述した第１実施形態と同一部分に同一符号を付してその説明を省略する。
【００４３】
この第３実施形態が上述した第１実施形態と特に異なるところは、登録した機器との接続が完了した場合に、その登録を削除する（機器登録部３４から対象機器の接続パラメータを削除する）という処理を行い、所定周期での繰り返し画像取得処理を今回の接続のみに留める点である。この第３実施形態の処理手順を図１０に示している。尚、図１０に示す処理に於いて、ステップＳ５４〜Ｓ５６の処理は上述した図６に示す第１実施形態の処理（ステップＳ２１〜Ｓ２６）と同様であるので、ここではその説明を省略する。
【００４４】
画像取得部３１は、接続が成功すると（図１０ステップＳ５４  Ｙｅｓ）、その接続した機器の接続パラメータを機器登録部３４から一時記憶部（図示せず）に移し、その接続パラメータを用い所定周期での繰り返し画像取得処理を実行開始して（図１０ステップＳ５６）、その接続パラメータを機器登録部３４から削除する（図１０ステップＳ５７）。これにより、今回限りの機器接続による所定周期での繰り返し画像取得処理を実行することが可能となる。
【００４５】
ここで、上記登録を削除するタイミングはいろいろ考えられるが、その機器との接続を切断することをユーザが明示的に行った場合に行うことで、ユーザに、再度、登録するか否かを確認することを同時に行うことができる。図１１に、切断時にユーザに再度、登録するか否かを問うダイアログの一例を示す。ユーザが登録しない（いいえ）操作を行った場合、画像取得部３１は、今回接続している機器の接続パラメータを機器登録部３４から削除する。ユーザが登録する（はい）操作を行った場合、画像取得部３１は、上記一時記憶部に移した接続パラメータを機器登録部３４に書き戻す。
【００４６】
上記した本発明の画像取得機能を、ＢｌｕｅｔｏｏｔｈＴＭ対応のデジタルスチルカメラと接続し、モニタリング画像を取得するアプリケーションに適応した場合の効果を以下に記す。
【００４７】
まず、カメラとの接続手順を簡略化することが可能となる。例えば、カメラを接続登録した場合には、次回、アプリケーションを起動するだけで、そのカメラへ接続処理、および、接続完了後は画像取得処理が自動的に行われる。そのため、ユーザはアプリケーションを起動した後、カメラ側をＢｌｕｅｔｏｏｔｈＴＭの接続待ち受け状態にするだけで、自動的に接続、および、画像取得処理が開始される。本発明の画像取得方法を用いない場合は、画像取得装置側でアプリケーションを起動、カメラ側を待ち受け状態にする、画像取得装置側でカメラを検索し接続開始を行う、という処理であることに比較して、接続操作手順を簡略化することが可能である。一方、既にカメラ側がＢｌｕｅｔｏｏｔｈＴＭの接続待ち受け状態にある場合には、画像取得装置側でアプリケーションを起動するだけで、直ぐに自動的にカメラから取得した画像が表示されるようになり、操作手順を非常に簡略化することができる。また、一旦、カメラとの接続を切断した際に、そのカメラとの接続を登録した場合には、その後、再度カメラ側でＢｌｕｅｔｏｏｔｈＴＭを接続待ち受け状態にするだけで、そのカメラに接続し画像を取得することが可能となる。また、接続対象としてカメラを想定したとき、マウスやキーボードと異なり、常に自動接続する必要性がないため、接続後に登録を解除できることが望ましいが、本発明の第３実施形態を適用することで接続後の登録解除が可能となる。これとは逆に単一または複数の機器を対象に、画像、音声等の各種情報を間歇的に継続して長時間に亘り取得（または転送）したい場合もある。この際は、例えば図６に示すステップＳ２２の登録処理に於いて、相手機器の接続パラメータを機器登録部３４に登録した後、ある事象の発生毎に、若しくは設定時間毎に、ステップＳ２３の接続処理を実行することで、間歇的に継続して長時間に亘り、例えば画像ファイル、音声ファイル、テキストファイル等の各種情報を取得し若しくは転送することが可能となる。
【００４８】
尚、上記した実施形態に於いては、画像情報の取得処理を例に挙げたが、これに限らず、例えばテキスト、サウンド、動画、静止画、イメージ等のマルチメディア情報を機器を指定して継続的に読み込む情報取得処理等に同様に適用可能である。さらに上記実施形態では、接続相手機器からの情報取得を処理の対象としていたが、例えば所定のテキスト電圧調整機能部２３ファイル、画像ファイル等を定期的に所定の機器に継続的に転送する際に適用することも可能である。
【図面の簡単な説明】
【００４９】
【図１】本発明の第１実施形態に係るコンピュータの外観を示す図。
【図２】本発明の第１実施形態に係るコンピュータの構成を示すブロック図。
【図３】本発明の第１実施形態に係る画像取得装置の構成を示すブロック図。
【図４】本発明の第１実施形態に係る周辺機器検索処理の手順を示すフローチャート。
【図５】本発明の第１実施形態に係る周辺機器を表示する画面の一構成例を示す図。
【図６】本発明の第１実施形態に係る登録処理と登録機器への接続処理の手順を示すフローチャート。
【図７】本発明の第２実施形態に係る画像表示装置の構成を示すブロック図。
【図８】本発明の第２実施形態に係るサスペンド状態に遷移する際の処理手順を示すフローチャート。
【図９】本発明の第２実施形態に係るレジューム時の処理手順を示すフローチャート。
【図１０】本発明の第３実施形態に係る登録処理、登録機器への接続処理と登録の削除処理の手順を示すフローチャート。
【図１１】本発明の第３実施形態に係る切断時にユーザに再度登録するか否かを問うダイアログの一例を示す図。
【符号の説明】
【００５０】
１…コンピュータ、１１…コンピュータ本体、１２…ディスプレイユニット、１３…ＬＣＤ、２３…主メモリ、２６…ハードディスクドライブ（ＨＤＤ）、３０，３０Ｂ…画像取得装置、３１…画像取得部、３２…画像表示部、３３…周囲機器検索部、３４…機器登録部、３５…通信制御部、１０１…無線通信デバイス、１０２…リモートデバイス一覧、２０１…無線通信制御ユーティリティプログラム、２０２…画像取得処理プログラム、３０１…リモートデバイス一覧画面。
【図１】
2005151258.tif 000003
【図２】
2005151258.tif 000004
【図３】
2005151258.tif 000005
【図４】
2005151258.tif 000006
【図５】
2005151258.tif 000007
【図６】
2005151258.tif 000008
【図７】
2005151258.tif 000009
【図８】
2005151258.tif 000010
【図９】
2005151258.tif 000011
【図１０】
2005151258.tif 000012
【図１１】
2005151258.tif 000013